(57)【要約】【課題】カバーの確実な外れ防止を図りながらも、ロックアームのロック解除の作業を効率良く行う。【解決手段】コネクタハウジング１０の後面から引き出された電線ｗを屈曲させつつ所定方向に導出するように挿通案内するガイド部３３と、コネクタハウジング１０の外周を囲って装着される収容部３１と、を有するカバー３０と、が備えられ、カバー３０が、ロックアーム１５が設けられたコネクタハウジング１０の外面を挟んだ両側に分割された一対の半割カバー３０Ｕ，３０Ｄから構成され、両半割カバー３０Ｕ，３０Ｄの分割端縁３５Ｕ，３０Ｄの間には両半割カバー３０Ｕ，３０Ｄを結合状態にロックするカバーロック機構部３７が設けられている。ロックアーム１５を覆う側の一方の半割カバー３０Ｕには、ロックアーム１５の解除操作部１８を操作可能に外部に開放した操作用開口４８が形成されている。【選択図】図１６
2015210967.tif 000002
【特許請求の範囲】
【請求項１】
電線の端末に装着された端子金具が後方から挿入されて収容されたコネクタハウジングと、
相手ハウジングに係止する係止部を備えて前記コネクタハウジングの一外面に弾性変位可能に設けられたロックアームと、
同ロックアームを係止解除方向に変位操作するために前記ロックアームに設けられた解除操作部と、
前記コネクタハウジングの後面から引き出された電線を屈曲させつつ所定方向に導出するように挿通案内するガイド部と、前記コネクタハウジングの外周を囲って装着される収容部と、を有するカバーと、が備えられ、
前記カバーが、前記ロックアームが設けられた前記コネクタハウジングの前記外面と直交する方向に分割された一対の半割カバーから構成され、前記両半割カバーの分割端縁の間には前記両半割カバーを結合状態にロックするカバーロック機構部が設けられ、
前記ロックアームを覆う側の一方の前記半割カバーには、前記ロックアームの前記解除操作部を操作可能に外部に開放した操作用開口が形成されているコネクタ。
【請求項２】
前記一方の半割カバーには、前記ロックアームの前記係止部を目視可能に外部に開放した確認用開口が形成されている請求項１に記載のコネクタ。
【請求項３】
前記ロックアームは前記コネクタハウジングの上面において前後方向に延びた姿勢で設けられ、前記係止部が前端側に、前記解除操作部が後端側にそれぞれ設けられているとともに、
前記カバーでは、２本の前記ガイド部が左右両側に突出するように形成されており、前記両ガイド部の分岐部分の下面には、前記ロックアームの前記解除操作部とともに指を掛けて挟み付けるための指掛け用の凹部が設けられている請求項１または請求項２に記載のコネクタ。
【発明の詳細な説明】
【技術分野】
【０００１】
本明細書によって開示される技術は、カバーを備えたコネクタに関する。
【背景技術】
【０００２】
この種のカバーを備えたコネクタの一例として、特開２０１０−６２０３４号公報（下記特許文献１）に記載のものが知られている。このものは、電線の端末に装着された端子金具が後方から挿入されたハウジングの後面側にカバーが装着され、ハウジングの後面から引き出された電線がカバー内で屈曲されて、所定方向に導出されるようになっている。ここでカバーには、ハウジングの回りを囲んで装着される収容部が一体に形成されていて、例えばカバーから導出された電線が振られた場合にも、カバーがハウジングから簡単に外れないような手当が施されている。
【先行技術文献】
【特許文献】
【０００３】
【特許文献１】特開２０１０−６２０３４号公報
【発明の概要】
【発明が解決しようとする課題】
【０００４】
一方、ハウジングの外面には、相手ハウジングと嵌合された状態にロックするためのロックアームが設けられているが、カバーに収容部が設けられるとロックアームも覆われた形態となる。そのため、メンテナンス等においてハウジングを外すべくロックアームに対してロック解除操作を行う場合、専用の治具が必要となって作業性に劣る嫌いがあった。
【課題を解決するための手段】
【０００５】
本明細書によって開示されるコネクタは、電線の端末に装着された端子金具が後方から挿入されて収容されたコネクタハウジングと、相手ハウジングに係止する係止部を備えて前記コネクタハウジングの一外面に弾性変位可能に設けられたロックアームと、同ロックアームを係止解除方向に変位操作するために前記ロックアームに設けられた解除操作部と、前記コネクタハウジングの後面から引き出された電線を屈曲させつつ所定方向に導出するように挿通案内するガイド部と、前記コネクタハウジングの外周を囲って装着される収容部と、を有するカバーと、が備えられ、前記カバーが、前記ロックアームが設けられた前記コネクタハウジングの前記外面と直交する方向に分割された一対の半割カバーから構成され、前記両半割カバーの分割端縁の間には前記両半割カバーを結合状態にロックするカバーロック機構部が設けられ、前記ロックアームを覆う側の一方の前記半割カバーには、前記ロックアームの前記解除操作部を操作可能に外部に開放した操作用開口が形成されているところに特徴を有する。
【０００６】
コネクタハウジングと相手ハウジングの間のロックを解除する場合は、一方の半割カバーに設けられた操作用開口を通して解除操作部を操作することにより、ロックアームを強制的に係止解除方向に変位させる。カバーに収容部を備えて確実な外れ防止を図りながらも、治具等を用いることなくロック解除の作業を効率良く行うことができる。
【０００７】
また、以下のような構成としてもよい。
（１）前記一方の半割カバーには、前記ロックアームの前記係止部を目視可能に外部に開放した確認用開口が形成されている。
コネクタハウジングを相手ハウジングに嵌合するに際して、確認用開口を通してロックアームの係止部を目視することにより、正規にロックされたか否かを確認することができる。
【０００８】
（２）前記ロックアームは前記コネクタハウジングの上面において前後方向に延びた姿勢で設けられ、前記係止部が前端側に、前記解除操作部が後端側にそれぞれ設けられているとともに、前記カバーでは、２本の前記ガイド部が左右両側に突出するように形成されており、前記両ガイド部の分岐部分の下面には、前記ロックアームの前記解除操作部とともに指を掛けて挟み付けるための指掛け用の凹部が設けられている。
コネクタハウジングの後面から引き出された電線を、選択的に左右いずれか一方に向けて導出することができる。それに加え、ハウジング同士のロックを解除する場合は、ロックアームの解除操作部と、指掛け用の凹部とに指を掛けて挟み付けることで、ロックアームをロック解除方向に変位させることができる。省スペース化を図った上で、ロック解除の操作をより簡単に行うことができる。
【発明の効果】
【０００９】
本発明によれば、カバーの確実な外れ防止を図りながらも、治具等を用いることなくロックアームのロック解除の作業を効率良く行うことができる。
【図面の簡単な説明】
【００１０】
【図１】実施形態に係るコネクタの分解斜視図
【図２】カバーの分解正面図
【図３】同分解背面図
【図４】同分解側面図
【図５】図２のV−V線断面図
【図６】上カバーの平面図
【図７】同底面図
【図８】下カバーの平面図
【図９】同底面図
【図１０】下カバーにハウジングが載置された状態の平面図
【図１１】組み立てられたコネクタの斜視図
【図１２】同正面図
【図１３】同背面図
【図１４】同平面図
【図１５】同側面図
【図１６】同一部切欠縦断面図
【発明を実施するための形態】
【００１１】
＜実施形態＞
実施形態を図１ないし図１６に基づいて説明する。本実施形態のコネクタＣは、図１に示すように、雌側のコネクタハウジング１０（以下、ハウジング１０）と、同ハウジング１０の後面側に装着されるカバー３０とを備えており、カバー３０はさらに、上下一対の半割カバー３０Ｕ，３０Ｄに分割されている。コネクタＣの組立時の形状は、図１１及び図１６に示すようになり、機器の側壁等に設けられた相手コネクタに嵌合されるようになっている。以下、コネクタＣにおける相手コネクタと嵌合される端部側（図１６における左端部側）を前方として説明する。
【００１２】
ハウジング１０は合成樹脂製であって、図１及び図１６に示すように、概ね前後方向に延びた端子収容部１１の回り（前側の大部分の回り）に、前面開口の嵌合筒部１２が設けられた構造である。端子収容部１１には、前後方向に貫通した２本のキャビティ１３が左右に並んで形成されている。各キャビティ１３内には、電線ｗの端末に接続された雌端子（図示せず）が後方から挿入されて抜け止めされて収容されるようになっているとともに、電線ｗに外嵌されたゴム栓が、キャビティ１３の後端に密嵌されてシールされるようになっている。
【００１３】
ハウジング１０の嵌合筒部１２内には、図示しない相手の雄側のコネクタハウジング（相手ハウジング）のフード部が前方から嵌合されるようになっている。嵌合筒部１２の上面における前端部にはアーチ部１４が膨出形成される一方、アーチ部１４の後方では端子収容部１１の上面が開放された形態となっており、この開放された端子収容部１１の上面に、相手ハウジングとの間を嵌合状態にロックするロックアーム１５が設けられている。
【００１４】
ロックアーム１５は、図１６に示すように、前後方向に延びた形状であって、後端寄りの位置の下面に設けられた支点部１６を中心として、シーソー状に弾性的な揺動変位可能となっている。ロックアーム１５の前端部には、相手ハウジングに設けられた被ロック部を嵌めてロックするロック孔１７が開口されているとともに、後端の上面には解除操作部１８が設けられ、同解除操作部１８を押圧することにより、ロックアーム１５をロック解除方向（図１６の時計回り方向）に強制的に揺動変位可能となっている。
ロックアーム１５の左右両側には、ロックアーム１５を保護する一対の保護壁１９が、アーチ部１４と繋がった形態で、ロックアーム１５よりも高い位置まで立ち上がり形成されている（図１参照）。
【００１５】
次に、カバー３０について説明する。カバー３０は同じく合成樹脂製であって、一部既述したように、上下一対の半割カバー３０Ｕ，３０Ｄを結合して形成されるようになっている。以下では、図１の上側の半割カバー３０Ｕを上カバー３０Ｕ、下側の半割カバー３０Ｄを下カバー３０Ｄと称する。
カバー３０の全体構造は、図１１ないし図１５に示すように、ハウジング１０の外周を囲って装着される筒形のハウジング収容部３１と、ハウジング収容部３１の後方に連なった形態においてハウジング１０の後面側に配され、電線ｗを屈曲させることに機能する電線屈曲部３２と、電線屈曲部３２の左右の側部に連なって側方に突出した左右一対の電線ガイド部３３を備えている。両電線ガイド部３３は詳細には、図１４に示すように、真横よりも手前側に振られ、かつ図１３に示すように、斜め下方に向けられた傾斜姿勢に形成されている。電線ガイド部３３の突出端には、電線ｗを外部に導出する導出部３４が形成され、導出部３４は水平姿勢に向きを変えている。導出部３４は、コルゲートチューブ（図示せず）の端部を嵌めて取り付けるコルゲート取付部を兼ねている。
【００１６】
カバー３０が、上カバー３０Ｕと下カバー３０Ｄとに分割される位置は概ね、図１３及び図１５に示すように、ハウジング収容部３１と電線ガイド部３３（導出部３４を含む）については上下に略二分する位置、電線屈曲部３２については天面壁３２Ｕの直下位置となっている。
言い換えると、上カバー３０Ｕは、ハウジング収容部３１の上半分（上収容部３１Ｕ）と、電線屈曲部３２における天面壁３２Ｕと、電線ガイド部３３及び導出部３４の上半分（上ガイド部３３Ｕ及び上導出部３４Ｕ）とを備えて構成されている。
一方、下カバー３０Ｄは、ハウジング収容部３１の下半分（下収容部３１Ｄ）と、電線屈曲部３２における底面壁４０と後面壁４１とを備えた屈曲部本体３２Ｄと、電線ガイド部３３及び導出部３４の下半分（下ガイド部３３Ｄ及び下導出部３４Ｄ）とを備えて構成されている。
【００１７】
上カバー３０Ｕと下カバー３０Ｄとは分断端縁３５Ｕ，３５Ｄを突き合わせた形態で結合されるようになっており、その分断端縁３５Ｕ，３５Ｄには、結合状態にロックするためのカバーロック機構部３７（以下、ロック機構部３７）が設けられている。
ロック機構部３７は、ハウジング収容部３１における左右両面、電線屈曲部３２における後面の左右両端部、及び左右の導出部３４の前後両面の都合８箇所に設定されている。各ロック機構部３７は、上カバー３０Ｕの分断端縁３５Ｕの外面から、弾性変位可能なロック枠３８が下向きに突出して設けられる一方、下カバー３０Ｄの分断端縁３５Ｄの外面に、ロック枠３８内に嵌って係止するロック突部３９が形成されることで構成されている。
【００１８】
コネクタＣは、詳しくは後記するが、ハウジング１０を下カバー３０Ｄにおける下収容部３１Ｄに嵌めて載せたのち、上カバー３０Ｕを被せて下カバー３０Ｄに結合することで組み立てられるようになっている。
ハウジング１０を下カバー３０Ｄに載置する際の位置決め用として、下カバー３０Ｄの下収容部３１Ｄの底面における後端寄りの位置には、図５及び図１６に示すように、左右方向を向いた位置決め溝４４が形成され、同位置決め溝４４内に、ハウジング１０の下面の後端寄りの位置において左右方向に延びて形成された位置決めリブ２１が嵌るようになっている。また、下収容部３１Ｄの底面の後端縁が一段底上げされ、同底上げ部４５の左右両端には、ハウジング１０における端子収容部１１の後端部の左右両面を挟む挟持部４６が形成されている。なお、下収容部３１Ｄの底面の後端縁における底上げ部４５は、屈曲部本体３２Ｄの底面壁４０と面一に形成されている。
【００１９】
一方、上カバー３０Ｕの上収容部３１Ｕは、概ねハウジング１０における上半分（左右の保護壁１９を含む）を嵌めて覆うことが可能な形状に形成されている。ただし、上収容部３１Ｕの上面の後端部、詳細には図１４に示すように、上記したロックアーム１５の解除操作部１８の上方に対応する領域には、同解除操作部１８を押圧操作するべく幅広の操作用開口４８が切り欠き形成されている。
また、上収容部３１Ｕの上面の前端部、詳細には、ロックアーム１５におけるロック孔１７が形成された前端部の上方に対応する領域には、幅狭の確認用開口４９が切り欠き形成されている。この確認用開口４９は、ロックアーム１５のロック孔１７と、相手ハウジングの被ロック部（図示せず）との嵌合状態を目視により確認することに適用される。
【００２０】
さらに、電線屈曲部３２について説明する。下カバー３０Ｄにおける屈曲部本体３２Ｄの底面壁４０の前端部（下収容部３１Ｄとの境の部分）には、図１０及び図１６に示すように、ハウジング１０の端子収容部１１の後面に当たる仕切壁５０が立ち上がり形成されている。この仕切壁５０の幅方向の中央部には、ハウジング１０の後面から引き出された電線ｗを挿通可能な挿通溝５１が、上縁に開口した形態で形成されている。同挿通溝５１の幅は、例えば左右のキャビティ１３間のピッチに匹敵する程度の寸法である。
【００２１】
図５及び図８に示すように、上記した仕切壁５０の挿通溝５１における後面側の側縁部に沿うようにして、左右一対の帯状をなす縦リブ５５が一体形成されている。両縦リブ５５は、図８に示すように、後縁側が次第に接近するような斜め姿勢を採って、底面壁４０から立ち上がり形成されている。両縦リブ５５の狭められた後縁間の間隔ｓは、電線径の２倍弱の寸法に設定されている。
【００２２】
両縦リブ５５の上端は、上下のカバー３０Ｕ，３０Ｄの結合に伴い屈曲部本体３２Ｄに天面壁３２Ｕが被せられた場合に、同天面壁３２Ｕを丁度貫通する程度にまで延ばされている。各縦リブ５５の上方延出端には、図３に示すように、互いに対向した側縁側において狭幅とされた嵌合部５６が形成されている。各嵌合部５６は、互いに対向した側縁がテーパ状をなす略台形状に形成されている。
一方、上カバー３０Ｕにおける天面壁３２Ｕの内面には、図７に示すように、各縦リブ５５の嵌合部５６が嵌る左右一対の嵌合凹部５８が形成されている。各嵌合凹部５８における嵌合部５６の高位面が嵌る部分は、上面に開口して形成されている（図７及び図８の開口部５８Ａと嵌合部５６を参照）。
【００２３】
上記した両縦リブ５５における互いに対向した側縁の根元部分の間には、左右方向を向いた補助リブ６０が渡されて形成されている。同補助リブ６０は、底面壁４０から電線径に匹敵する寸法分立ち上がっている。
なお、下カバー３０Ｄの屈曲部本体３２Ｄにおける底面壁４０の左右両側縁は、図１に示すように、左右の下ガイド部３３Ｄにおける傾斜した底面の上縁と、同一高さ位置で段差なく繋がっている。
【００２４】
また、上記したように、左右の電線ガイド部３３が、前方に振られかつ斜め下方を向いた傾斜姿勢で形成されていることから、本実施形態のコネクタＣの背面形状が、図１３に示すように、電線屈曲部３２の外底面と左右の電線ガイド部３３の外底面の下方において、略台形をなす凹部６２が形成された形態となる。
一方、図３及び図９に示すように、下カバー３０Ｄの屈曲部本体３２Ｄの外底面には、左右方向を向いた補強リブ６４が形成されている。この補強リブ６４は、後記するように、ロックアーム１５のロック解除操作を行う場合の指掛け部として利用することが可能である。
【００２５】
続いて、本実施形態の作用を説明する。
コネクタＣの組み立ては、以下のようにして行われる。まず、ハウジング１０の左右のキャビティ１３に対し、２本の電線ｗの端末に装着された雌端子がそれぞれ後方から挿入されて抜け止めされて収容され、併せてゴム栓がキャビティ１３の後端部に密嵌されてシールされる。
【００２６】
このように雌端子が収容されたハウジング１０が、図１０に示すように、下カバー３０Ｄにおける下収容部３１Ｄに載置される。詳細には、ハウジング１０は、図１６にも示すように、端子収容部１１の後端部を左右の挟持部４６の間で挟むとともに、同端子収容部１１の後面を仕切壁５０の前面に沿わせつつ上方から押し込まれ、最後にハウジング１０の後端部の底面に設けられた位置決めリブ２１が位置決め溝４４に嵌められることで、ハウジング１０は、下カバー３０Ｄにおける下収容部３１Ｄの定位置において、前後並びに左右に移動不能に位置決めされて載置される。
【００２７】
左右のキャビティ１３の後端から引き出された２本の電線ｗは、図１０に示すように、仕切壁５０の挿通溝５１に通されたのち、互いに寄せられつつ２本の縦リブ５５の間に通される。２本の縦リブ５５の後縁の間隔ｓ（図８参照）は、電線径の２倍弱であるから、２本の電線ｗは概ね縦方向に並んで挿通される。そののち２本の電線ｗは、例えば図１０における右側の縦リブ５５に当てられつつ右方向に屈曲され、右側の下ガイド部３３Ｄの傾斜した底面に沿うように配線され、右側の下導出部３４Ｄ内を通って外部に導出される。このとき、両電線ｗの屈曲部分では、図１６に示すように、両電線ｗが上下に重なりつつ補助リブ６０に押し付けられた状態となる。
【００２８】
次に、図示はしないが、両電線ｗの導出部分に嵌装されたコルゲートチューブが下カバー３０Ｄ側に摺動されて、その端部が下導出部３４Ｄに嵌められる。
係る状態から上カバー３０Ｕが、下カバー３０Ｄに対して分断端縁３５Ｕ，３５Ｄ同士を突き合わせるようにして上方から被せられる。上カバー３０Ｕは、都合８箇所に設けられたロック機構部３７において、ロック枠３８をロック突部３９に弾性変位して乗り上げさせつつ押し込まれ、分断端縁３５Ｕ，３５Ｄ同士が突き合わされたところで、ロック枠３８が復元変位しつつ同ロック枠３８内にロック突部３９が嵌って係止され、すなわち上下のカバー３０Ｕ，３０Ｄが結合状態にロックされる。
【００２９】
そのとき、左右の縦リブ５５の上端の嵌合部５６が、上カバー３０Ｕの対応する嵌合凹部５８に嵌められる。また、ハウジング１０に設けられたロックアーム１５の解除操作部１８は、上カバー３０Ｕに形成された操作用開口４８を通して外部に開放されるとともに、ロックアーム１５におけるロック孔１７が形成された前端部は、同じく上カバー３０Ｕに形成された確認用開口４９を通して上方から目視可能な状態にある。
併せて、コルゲートチューブの端部が導出部３４に嵌められて取り付けられる。
【００３０】
以上により、コネクタＣの組み立てが完了し、ハウジング１０の外周から後面側に亘り一体化されたカバー３０が装着された形態となる。このように組み立てられたコネクタＣでは、ハウジング１０の後面から引き出された２本の電線ｗが、カバー３０の電線屈曲部３２内で正面視右側に屈曲され、右側の電線ガイド部３３内を真横よりも手前に振られつつ斜め下方を向いて挿通され、右側の導出部３４から水平に向きを変えて導出され、かつこの導出部分がコルゲートチューブで覆われた状態となる。
【００３１】
このようなコネクタＣが、図１６の矢線に示すように、機器に設けられた相手コネクタに嵌合され、正規に嵌合されたところで、ロックアーム１５のロック孔１７に相手ハウジングの被ロック部が嵌ってロックされる。ロックアーム１５におけるロック孔１７が設けられた前端側は確認用開口４９を通して目視できるから、正規にロックされているか否かを目視により確認することができる。
【００３２】
メンテナンス等において、コネクタＣを相手コネクタから外すには、図１６の状態から、２本の指をロックアーム１５の解除操作部１８と、指掛け部である補強リブ６４に当てて挟み付けると、ロックアーム１５が同図の時計回り方向に回動して相手コネクタとの間のロックが解除されるから、続いてコネクタＣを後方に引くことで相手コネクタから外すことができる。
【００３３】
本実施形態のコネクタＣでは、ハウジング１０の回りを囲んで装着されるハウジング収容部３１が、カバー３０に対して一体に形成された構造であるから、電線ガイド部３３の導出部３４から導出された電線ｗが振られた場合に、カバー３０がハウジング１０から外れるのをより確実に阻止できる。
ハウジング収容部３１を設けたことでロックアーム１５も覆われることになるが、上収容部３１Ｕにはロックアーム１５の後端に設けた解除操作部１８を開放する操作用開口４８が形成されている。したがって、ハウジング１０と相手ハウジング間のロックを解除する場合は、操作用開口４８を通して解除操作部１８を押圧操作すれば、ロックアーム１５を強制的にロック解除方向に変位させて、ロックを解除することができる。
すなわち、カバー３０にハウジング収容部３１を備えて確実な外れ防止を図りながらも、治具等を用いることなくロック解除の作業を能率良く行うことができる。
【００３４】
また、上カバー３０の上収容部３１Ｕには、ロックアーム１５におけるロック孔１７が形成された前端部を目視可能に外部に開放した確認用開口４９が形成されている。ハウジング１０を相手ハウジングに嵌合するに際して、確認用開口４９を通してロックアーム１５におけるロック孔１７の形成位置を目視することにより、正規にロックされたか否かを確認することができる。
【００３５】
本実施形態のカバー３０では、左右の電線ガイド部３３が、特に斜め下方を向いた傾斜姿勢で形成されていることにより、両電線ガイド部３３の分岐部分となる電線屈曲部３２の底面の下方に、背面視で略台形をなす凹部６２が形成された構造となる。この凹部６２は、ロックアーム１５の解除操作部１８の下方位置にあって、指を入れる空間として利用可能であり、さらに電線屈曲部３２の底面に、指掛け部として利用できる補強リブ６４が設けられている。
【００３６】
したがって、ロックアーム１５のロックを解除する場合は、２本の指をロックアーム１５の解除操作部１８と、指掛け部である補強リブ６４に当てて挟み付けることにより、小さな力でロックアーム１５を係止解除方向に変位させることができる。
端的には、左右の電線ガイド部３３の分岐部分に自ずから形成された凹部６２、すなわちデッドスペースを指掛け部として利用することにより、省スペース化を図った上でロックアーム１５のロック解除の操作をより簡単に行うことができる。
【００３７】
なお、カバー３０には、左右２本の電線ガイド部３３が設けられているのであるから、上記実施形態とは逆に、ハウジング１０の後面から引き出された２本の電線ｗを、２本の縦リブ５５の間に通したのち左側の縦リブ５５に回曲して正面視左側に屈曲し、左側の電線ガイド部３３を通すことで、手前に振られた左向きでかつ斜め下方を向いて導出させるような使い方をすることもできる。
【００３８】
また、当該コネクタＣの他の使い方として、上記実施形態に例示した右側の電線ガイド部３３から電線ｗが導出されたコネクタＣを左右方向に複数個並べて配し、左側のコネクタＣにおける右側の電線ガイド部３３から導出された２本の電線ｗを、右側のコネクタＣの空いている左側の電線ガイド部３３に導入したのち、この右側のコネクタＣの右側の電線ガイド部３３から同右側のコネクタＣの２本の電線ｗと合わせて４本まとめて右側に導出する、といった使い方をすることもできる。
もちろん上記とは逆に、４本の電線ｗをまとめて左側に導出するような使い方もできる。
【００３９】
＜他の実施形態＞
本明細書で開示される技術は、上記記述及び図面によって説明した実施形態に限定されるものではなく、例えば次のような実施形態も本発明の技術的範囲に含まれる。
（１）ロックアームは上記実施形態に例示したものに限らず、例えば後端を支点として前端側が上下に揺動変位可能な片持ち状のロックアーム等、他の揺動変位形態や配設姿勢を備えたロックアームを設けたものについても、同様に適用可能である。
（２）上記実施形態では、左右の電線ガイド部が、前方に振られかつ斜め下方を向いた傾斜姿勢で形成されている場合を例示したが、左右の電線ガイド部が、前方に振られることなく斜め下方を向いた傾斜姿勢に形成されたもの、さらには、斜め下方に傾斜することなくほぼ真横を向いて形成されたものについても、同様に適用することができる。
【００４０】
（３）電線ガイド部が左右いずれか一方のみを備えた形式のものにも、同様に適用できる。
（４）上記実施形態では、ハウジングの後面から左右２本の電線が引き出されたものを例示したが、引き出される電線の数や配列は任意である。
（５）上記実施形態では、カバーが上カバーと下カバーの２ピースから構成された場合を例示したが、上下いずれか一方の導出部がさらに後付け可能に別体に形成された４ピース構造としてもよい。
【符号の説明】
【００４１】
ｗ…電線
１０…コネクタハウジング
１５…ロックアーム
１６…支点部
１７…ロック孔（係止部）
１８…解除操作部
３０…カバー
３０Ｕ…上カバー（半割カバー）
３０Ｄ…下カバー（半割カバー）
３１…ハウジング収容部
３１Ｕ…上収容部
３１Ｄ…下収容部
３２…電線屈曲部
３３…電線ガイド部（ガイド部）
３４…導出部
３５Ｕ，３５Ｄ…分割端縁
３７…カバーロック機構部
４８…操作用開口
４９…確認用開口
６２…凹部
６４…補強リブ
【図１】
2015210967.tif 000003
【図２】
2015210967.tif 000004
【図３】
2015210967.tif 000005
【図４】
2015210967.tif 000006
【図５】
2015210967.tif 000007
【図６】
2015210967.tif 000008
【図７】
2015210967.tif 000009
【図８】
2015210967.tif 000010
【図９】
2015210967.tif 000011
【図１０】
2015210967.tif 000012
【図１１】
2015210967.tif 000013
【図１２】
2015210967.tif 000014
【図１３】
2015210967.tif 000015
【図１４】
2015210967.tif 000016
【図１５】
2015210967.tif 000017
【図１６】
2015210967.tif 000018